(57)【要約】      （修正有）【課題】部品点数を低減し、構造を簡素化した蓋ロック機構およびこれを備えた鍋を提供する。【解決手段】鍋蓋を鍋本体に固定するための一対の係合部１１と、係合部に連結され、径方向に移動可能な一対のアーム部１２と、アーム部の動作方向に沿った軸を回転軸とする回転体１４と、部位Ｐ１を下方に押し回転体を第１回転方向ＣＤ１へ押圧する第１操作ボタンと、部位Ｐ２を下方に押し回転体を第２回転方向ＣＤ２へ押圧する第２操作ボタンと、を有する。アーム部１２は上方に突出する連結突起１３を有する。回転体には連結突起が嵌るガイド溝１５が形成されている。第１回転方向ＣＤ１への回転に伴って連結突起同士が近接し蓋をロックし、第２回転方向ＣＤ２への回転に伴って連結突起同士が離れロックを解除する形状にガイド溝が形成されている。【選択図】図３
0003187475.tif 000002
【実用新案登録請求の範囲】
【請求項１】
容器の開口部を上方から覆う蓋の周縁部に設けられ、前記容器の周縁部に係合することにより前記蓋を当該容器に固定するための一対の係合部と、
前記係合部に連結され、径方向に移動可能な一対のアーム部と、
前記アーム部の動作方向に沿った軸を回転軸とする回転体と、
前記係合部をロック状態にするための操作ボタンであって、上方から押圧されることにより前記回転体を第１回転方向へ押圧する第１操作ボタンと、
前記係合部をロック解除状態にするための操作ボタンであって、上方から押圧されることにより前記回転体を第1回転方向とは逆の第２回転方向へ押圧する第２操作ボタンと、
を備えており、
前記アーム部は上方に突出する連結突起を有し、
前記回転体は前記連結突起が嵌るガイド溝が形成されており、
前記回転体の前記第１回転方向への回転に伴って前記連結突起同士が近接して前記係合部をロック位置に移動させ、前記回転体の前記第２回転方向への回転に伴って前記連結突起同士が離れて前記係合部をロック解除位置に移動させる形状に前記ガイド溝を形成したことを特徴とする蓋ロック機構。
【請求項２】
前記ガイド溝は、第１連結突起が嵌る第１ガイド溝と、第２連結突起が嵌る第２ガイド溝と、を有し、
前記連結突起が嵌る位置における前記第１ガイド溝と第２ガイド溝の離間距離は、前記第１回転方向への回転に伴い短くなり、前記第２回転方向への回転に伴い長くなる請求項１に記載の蓋ロック機構。
【請求項３】
前記第２操作ボタンを上方の復帰位置に付勢する第２ボタン付勢部材と、
前記第２操作ボタンが押下されたときに前記第２操作ボタンと係合することにより前記第２ボタン付勢部材の付勢力に抗して前記第２操作ボタンを押し込まれた状態に保持する復帰阻止部と、を備え、
前記復帰阻止部は、前記第１操作ボタンが押下されるときに当該第１操作ボタンと係合することにより、前記第１操作ボタンの復帰を阻止する位置から退避するように構成されている請求項1又は２に記載の蓋ロック機構。
【請求項４】
請求項１〜３のいずれかに記載の蓋ロック機構と、前記容器としての鍋本体と、前記蓋としての鍋蓋と、を備える鍋。
【考案の詳細な説明】
【技術分野】
【０００１】
本考案は、容器の開口部を上方から覆う蓋を前記容器にロックするための蓋ロック機構及びこれを備えた鍋に関する。
【背景技術】
【０００２】
例えば圧力鍋などでは、容器（鍋本体）の開口部を上方から覆う蓋（鍋蓋）が、蓋ロック機構によって容器にロックされるようになっている。この種の圧力鍋の一例として、特許文献１には、２つの係合部（１１，１１）が容器の周縁部に係合されることにより、蓋が容器にロックされるような構成が開示されている。
【０００３】
この特許文献１には、蓋に設けられた第１操作部（押しボタン）を押下すれば、各々の係合部（１１，１１）が容器の周縁部に係合するロック状態にし、蓋に設けられた第２操作部（押しボタン）を押下すれば、容器の周縁部に対する各係合部（１１，１１）の係合状態が解除されるロック解除状態にするロック機構が開示されている。
【０００４】
具体的に蓋ロック機構は、対をなす係合部と、各々の係合部に連結され径方向に沿って移動可能な一対のアーム部と、押しボタンと、前記押しボタンから押下操作が入力される第１端および前記アーム部に連結される第２端を有し第１端と第２端の間に設定された回転軸回りに回転可能なリンクアームと、を有する。リンクアームは、左右にそれぞれ設けられて対をなし、第１端同士が連結されている。押しボタンが押下操作されると、リンクアームの第１端が押下され、リンクアームが回転軸回りに回転し、第２端が径方向内側へ移動する。これに伴い、アーム部が係合部と一体に径方向内側へ移動し、ロック状態となる。
【先行技術文献】
【特許文献】
【０００５】
【特許文献１】登録実用新案第３１６１８３９号公報
【考案の概要】
【考案が解決しようとする課題】
【０００６】
特許文献１では、押しボタンの押下操作を径方向に沿った直線動作に変換するために、対をなすリンクアームを回転可能に取り付けており、押しボタンとアーム部との間に複数の部材が介在することになる。よって、更に部品点数を低減し、製造コストを低減することが望まれる。
【０００７】
本考案は、このような課題に着目してなされたものであって、その目的は、構造を簡素化した蓋ロック機構及びそれを備えた蓋を提供することである。
【課題を解決するための手段】
【０００８】
本考案は、かかる目的を達成するために、次のような手段を講じたものである。
【０００９】
すなわち、本考案の蓋ロック機構は、容器の開口部を上方から覆う蓋の周縁部に設けられ、前記容器の周縁部に係合することにより前記蓋を当該容器に固定するための一対の係合部と、
前記係合部に連結され、径方向に移動可能な一対のアーム部と、
前記アーム部の動作方向に沿った軸を回転軸とする回転体と、
前記係合部をロック状態にするための操作ボタンであって、上方から押圧されることにより前記回転体を第１回転方向へ押圧する第１操作ボタンと、
前記係合部をロック解除状態にするための操作ボタンであって、上方から押圧されることにより前記回転体を第1回転方向とは逆の第２回転方向へ押圧する第２操作ボタンと、
を備えており、
前記アーム部は上方に突出する連結突起を有し、
前記回転体は前記連結突起が嵌るガイド溝が形成されており、
前記回転体の前記第１回転方向への回転に伴って前記連結突起同士が近接して前記係合部をロック位置に移動させ、前記回転体の前記第２回転方向への回転に伴って前記連結突起同士が離れて前記係合部をロック解除位置に移動させる形状に前記ガイド溝を形成したことを特徴とする。
【００１０】
このように、押しボタンの鉛直動作をアーム部の直線動作に変更するための機構が回転体のみであるので、非常に簡素な構造で実現することが可能となる。よって、部品点数が減り、組み立ても容易となるので、製造コストを低減することが可能となる。
【００１１】
上記動作を実現する具体的な構成として、前記ガイド溝は、第１連結突起が嵌る第１ガイド溝と、第２連結突起が嵌る第２ガイド溝と、を有し、前記連結突起が嵌る位置における前記第１ガイド溝と第２ガイド溝の離間距離は、前記第１回転方向への回転に伴い短くなり、前記第２回転方向への回転に伴い長くなることが挙げられる。
【００１２】
利便性を向上させるためには、前記第２操作ボタンを上方の復帰位置に付勢する第２ボタン付勢部材と、前記第２操作ボタンが押下されたときに前記第２操作ボタンと係合することにより前記第２ボタン付勢部材の付勢力に抗して前記第２操作ボタンを押し込まれた状態に保持する復帰阻止部と、を備え、前記復帰阻止部は、前記第１操作ボタンが押下されるときに当該第１操作ボタンと係合することにより、前記第１操作ボタンの復帰を阻止する位置から退避するように構成されている。
【００１３】
本考案の好適な適用例として、上記蓋ロック機構と、前記容器としての鍋本体と、前記蓋としての鍋蓋と、を備える鍋が挙げられる。
【図面の簡単な説明】
【００１４】
【図１】ロック状態における蓋ロック機構及びそれを備えた鍋を示す斜視図。
【図２】ロック解除状態における蓋ロック機構及びそれを備えた鍋を示す斜視図。
【図３】ロック状態における蓋ロック機構の内部を示す斜視図。
【図４】ロック解除状態における蓋ロック機構の内部を示す斜視図。
【図５】回転体を示す斜視図。
【図６】押し込み状態に保持される第２操作ボタンを裏側から示す斜視図。
【図７】押し込み状態が解除された第２操作ボタンを裏側から示す斜視図。
【考案を実施するための形態】
【００１５】
以下、本考案に係る蓋ロック機構及びそれを備えた鍋の好適な実施形態について、図面を参照して説明する。
【００１６】
図１及び図２に示すように、鍋は、容器としての鍋本体２と、この鍋本体２の開口部を上方から覆う鍋蓋３と、鍋蓋３を鍋本体２に固定するための蓋ロック機構１と、を備えている。本実施形態における鍋は、例えば圧力鍋であって、鍋蓋３の周縁部に設けられたパッキン（図示せず）を介して鍋本体２の開口部が鍋蓋３により密閉された状態で、鍋本体２を加熱することにより、当該鍋本体２の内部の圧力を上昇させることができる。
【００１７】
鍋蓋３の周縁部には、２つの係合部１１が取り付けられている。これら係合部１１は、鍋蓋３の周縁部の形状に対応する円弧状に形成されているとともに、断面がＵ字状に形成されており、鍋本体２の周縁部と鍋蓋３の周縁部とを上下に挟み込むことができる。対をなす係合部１１は、鍋蓋３の中心部に対して対称となる位置関係に配置されている。各々の係合部１１が鍋本体２の周縁部に係合されることにより、鍋蓋３を鍋本体２に固定することができる。
【００１８】
図３及び図４に示すように、各々の係合部１１には、鍋蓋３の中央部から径方向に延びるアーム部１２がそれぞれ連結されている。各アーム部１２は、鍋蓋３の中央部において互いの端を突き合わせて直線状に配置されており、当該直線上（径方向）に沿ってスライド移動可能に取り付けられている。
【００１９】
具体的には、図１及び図３に示すように、各アーム部１２を径方向に沿ってそれぞれ内側（鍋蓋３の中央部側）にスライドさせることにより、各係合部１１が鍋本体２の周縁部に係合するロック状態とし、鍋蓋３を鍋本体２に固定することができる。一方、図２及び図４に示すように、各アーム部１２を径方向に沿ってそれぞれ外側（鍋蓋３の周縁部側）にスライドさせることにより、鍋本体２の周縁部に対する係合部１１の係合状態が解除されたロック解除状態とし、鍋蓋３を鍋本体２から取り外すことができる。
【００２０】
図３及び図４に示すように、各々のアーム部１２の中央側には、上方に突出する連結突起１３が設けられている。また、アーム部１２の動作方向に沿った軸を回転軸Ｃ１とする回転体１４が設けられている。回転体１４は、図５に示すように、側面視において上部に回転可能に支持される支持部１４ａと、下部にアーチ部１４ｂと、を有する。回転体１４のアーチ部１４ｂには、連結突起１３が嵌るガイド溝１５が形成されている。図３及び図４に示すように、支持部１４ａが鍋蓋３に支持されることにより、振り子のように第１回転方向ＣＤ１及び第２回転方向ＣＤ２に揺動可能となる。
【００２１】
図１及び図２に示すように、第１操作ボタン１６と、第２操作ボタン１７とが設けられている。第１操作ボタンと第２操作ボタンは、回転体１４の上方に配置される。図３及び図４に示すように、第１操作ボタン１６は、係合部１１をロック状態にするための操作ボタンであって、上方から押圧されることにより回転体１４を第１回転方向ＣＤ１へ押圧する。第１操作ボタン１６は、図中にてＰ１で示す部位を下方に押すことにより回転体１４を第１回転方向ＣＤ１へ回転させる。
【００２２】
第２操作ボタン１７は、係合部１１をロック解除状態にするための操作ボタンであって、上方から押圧されることにより回転体１４を第１回転方向ＣＤ１とは逆の第２回転方向ＣＤ２へ押圧する。第２操作ボタン１７は、図中にてＰ２で示す部位を下方に押すことにより回転体１４を第２回転方向ＣＤ２へ回転させる。
【００２３】
ガイド溝１５は、一方のアーム部１２に設けられた第１連結突起１３ａが嵌る第１ガイド溝１５ａと、他方のアーム部１２に設けられた第２連結突起１３ｂが嵌る第２ガイド溝１５ｂと、を有する。第１ガイド溝１５ａ及び第２ガイド溝１５ｂは、平面視にてハの字に配置されている。これにより、連結突起１３が嵌る位置（アーチ部１４ｂの最も低い位置）における第１ガイド溝１５ａと第２ガイド溝１５ｂの離間距離は、第１回転方向ＣＤ１への回転体１４に伴い短くなり、第２回転方向ＣＤ２への回転に伴い長くなる。
【００２４】
ガイド溝１５が上記形状であることにより、図３に示すように、回転体１４の第１回転方向ＣＤ１への回転に伴って連結突起１３同士が近接して係合部１１をロック位置に移動させる。また、図４に示すように、回転体１４の第２回転方向ＣＤ２への回転に伴って連結突起１３同士が離れて係合部１１をロック解除位置に移動させることになる。
【００２５】
図６及び図７は、第１操作ボタン１６及び第２操作ボタン１７を裏側から見た斜視図である。図６及び図７に示すように、第１操作ボタン１６を上方の復帰位置に付勢する第１ボタン付勢部材（不図示）と、第２操作ボタン１７を上方の復帰位置に付勢する第２ボタン付勢部材１８と、が設けられている。両付勢部材１８は、コイルバネであるが適宜変更可能である。また、平面視において第１操作ボタン１６と第２操作ボタン１７は、隣接して配置されており、両ボタン１６，１７の間には、復帰阻止部１９が設けられている。復帰阻止部１９は、鉛直軸回りに回転可能な可動片１９ａと、可動片１９ａを一回転方向へ付勢するコイルバネを用いた可動片付勢部材１９ｂと、を有する。復帰阻止部１９は、図６に示すように、第２操作ボタン１７が押下されたときに第２操作ボタン１７と係合することにより第２ボタン付勢部材１８の付勢力に抗して第２操作ボタン１７を押し込まれた状態に保持する。また、復帰阻止部１９は、第２操作ボタン１７を押し込み状態に保持する状態では第１操作ボタン１６の動作方向と干渉する位置にあり（図６参照）、図７に示すように、第１操作ボタン１６が押下されるときに第１操作ボタン１６と係合することにより、第１操作ボタン１６の復帰を阻止する位置（図６に示す位置）から退避するように構成されている。
【００２６】
これにより、図２に示すように、ロック解除状態では、第２操作ボタン１７が押し込まれた状態に保持されるので、ロック解除状態であることが一目瞭然となり、利便性を向上させることが可能となる。
【００２７】
以上のように本実施形態の蓋ロック機構１は、鍋本体２（容器）の開口部を上方から覆う鍋蓋３（蓋）の周縁部に設けられ、鍋本体２の周縁部に係合することにより鍋蓋３を鍋本体２に固定するための一対の係合部１１と、係合部１１に連結され、径方向に移動可能な一対のアーム部１２と、アーム部１２の動作方向に沿った軸を回転軸Ｃ１とする回転体１４と、係合部１１をロック状態にするための操作ボタンであって、上方から押圧されることにより回転体１４を第１回転方向ＣＤ１へ押圧する第１操作ボタン１６と、係合部１１をロック解除状態にするための操作ボタンであって、上方から押圧されることにより回転体１４を第１回転方向ＣＤ１とは逆の第２回転方向ＣＤ２へ押圧する第２操作ボタン１７と、を備える。アーム部１２は上方に突出する連結突起１３を有する。回転体１４は連結突起１３が嵌るガイド溝１５が形成されている。回転体１４の第１回転方向ＣＤ１への回転に伴って連結突起１３同士が近接して係合部１１をロック位置に移動させ、回転体１４の第２回転方向ＣＤ２への回転に伴って連結突起１３同士が離れて係合部１１をロック解除位置に移動させる形状にガイド溝１５を形成している。
【００２８】
このように、押しボタン１６，１７の鉛直動作をアーム部１２の直線動作に変更するための機構が回転体１４のみであるので、非常に簡素な構造で実現することが可能となる。よって、部品点数が減り、組み立ても容易となるので、製造コストを低減することが可能となる。
【００２９】
本実施形態では、ガイド溝１５は、第１連結突起１３ａが嵌る第１ガイド溝１５ａと、第２連結突起１３ｂが嵌る第２ガイド溝１５ｂと、を有する。連結突起１３が嵌る位置における第１ガイド溝１５ａと第２ガイド溝１５ｂの離間距離は、第１回転方向ＣＤ１への回転に伴い短くなり、第２回転方向ＣＤ２への回転に伴い長くなる。
【００３０】
このように第１、第２ガイド溝を配置すれば、上記動作を実現することが可能となる。
【００３１】
本実施形態では、第２操作ボタン１７を上方の復帰位置に付勢する第２ボタン付勢部材１８と、第２操作ボタン１７が押下されたときに第２操作ボタン１７と係合することにより第２ボタン付勢部材１８の付勢力に抗して第２操作ボタン１７を押し込まれた状態に保持する復帰阻止部１９と、を備える。復帰阻止部１９は、第１操作ボタン１６が押下されるときに第１操作ボタン１６と係合することにより、第１操作ボタン１６の復帰を阻止する位置から退避するように構成されている。
【００３２】
この構成によれば、ロック解除状態では、第２操作ボタン１７が押し込まれた状態に保持されるので、ロック解除状態であることが一目瞭然となり、利便性を向上させることが可能となる。
【００３３】
上記蓋ロック機構の好適な適用例としては、上記蓋ロック機構１と、容器としての鍋本体２と、蓋としての鍋蓋３と、を備える鍋が挙げられる。
【００３４】
以上、本考案の実施形態について図面に基づいて説明したが、具体的な構成は、これらの実施形態に限定されるものでないと考えられるべきである。本考案の範囲は、上記した実施形態の説明だけではなく請求の範囲によって示され、さらに請求の範囲と均等の意味および範囲内でのすべての変更が含まれる。各部の具体的な構成は、上述した実施形態のみに限定されるものではなく、本考案の趣旨を逸脱しない範囲で種々変形が可能である。
【符号の説明】
【００３５】
１…蓋ロック機構
２…鍋本体（容器）
３…鍋蓋（蓋）
１１…係合部
１２…アーム部
１３…連結突起
１４…回転体
１５…ガイド溝
１５ａ…第１ガイド溝
１５ｂ…第２ガイド溝
１６…第１操作ボタン
１７…第２操作ボタン
１８…第２ボタン付勢部材
１９…復帰阻止部
Ｃ１…回転軸
ＣＤ１…第１回転方向
ＣＤ２…第２回転方向
【図１】
0003187475.tif 000003
【図２】
0003187475.tif 000004
【図３】
0003187475.tif 000005
【図４】
0003187475.tif 000006
【図５】
0003187475.tif 000007
【図６】
0003187475.tif 000008
【図７】
0003187475.tif 000009